(57)【要約】      （修正有）【課題】衣服内における気体の流通性を向上させた衣服を提供する。【解決手段】衣服本体２と、気体の流通路を形成する通気性のスペーサ３とを備え、スペーサの外側の少なくとも一部は非通気性部材によって覆われ、スペーサの外側は、非通気性部材によって覆われた第一領域と、非通気性部材によって覆われていない第二領域とを有し、第二領域は、通気性部材によって覆われ、第一領域を覆う非通気性部材と第二領域を覆う前記通気性部材との間には開口部が形成され、スペーサは、衣服本体の端部から延出し、衣服と共に着用している別の衣服に収容可能な延出部を有し、延出部の外側の少なくとも一部は非通気性部材によって覆われ、衣服本体内に気体を取り込む送風装置５をさらに備え、送風装置は、ファン５１と、電源５２と、ケーブル５３と、ケーブル保持手段５４とを備え、ケーブル保持手段はスペーサ保持手段を兼ねている、衣服。【選択図】図１
2019094598.tif 000002
【特許請求の範囲】
【請求項１】
衣服本体と、
前記衣服本体の内側に保持され、気体の流通路を形成する通気性のスペーサと、
前記スペーサを前記衣服本体に保持するスペーサ保持手段と、
を備える衣服。
【請求項２】
前記スペーサの外側の少なくとも一部は非通気性部材によって覆われている、
請求項１に記載の衣服。
【請求項３】
前記スペーサの外側は、前記非通気性部材によって覆われた第一領域と、非通気性部材によって覆われていない第二領域とを有する、
請求項２に記載の衣服。
【請求項４】
前記第二領域は、通気性部材によって覆われている、
請求項３に記載の衣服。
【請求項５】
前記第一領域を覆う前記非通気性部材と前記第二領域を覆う前記通気性部材との間には開口部が形成されている、
請求項４に記載の衣服。
【請求項６】
前記スペーサは、前記衣服本体の端部から延出し、前記衣服と共に着用している別の衣服に収容可能な延出部を有する、
請求項１から５のいずれか１項に記載の衣服。
【請求項７】
前記延出部の外側の少なくとも一部は非通気性部材によって覆われている、
請求項６に記載の衣服。
【請求項８】
前記スペーサの内側は、通気性部材によって覆われている、
請求項１から７のいずれか１項に記載の衣服。
【請求項９】
前記衣服本体内に気体を取り込む送風装置をさらに備える、
請求項１から８のいずれか１項に記載の衣服。
【請求項１０】
前記送風装置は、ファンと、電源と、前記ファンと前記電源とを電気的に接続するケーブルと、前記ケーブルを前記衣服本体に保持するケーブル保持手段とを備え、
前記ケーブル保持手段は前記スペーサ保持手段を兼ねている、
請求項９に記載の衣服。
【請求項１１】
前記衣服本体はループ部を備えており、前記スペーサは前記スペーサ保持手段を前記ループ部に通すことによって保持されている、
請求項１から９のいずれか１項に記載の衣服。
【発明の詳細な説明】
【技術分野】
【０００１】
本発明は、衣服に関する。
【背景技術】
【０００２】
夏などの気温や湿度が高い季節には、衣服内が汗で蒸れて不快に感じることがある。この理由として、衣服内の空気の流通性が悪く、衣服内に湿った空気が滞留することが原因の一つと考えられる。これに対し、特許文献１には、換気穴が設けられた冷却衣服が開示されている。特許文献１では、換気穴を介して汗が空気に触れることで、汗が空気中に蒸発し易くなったとしている。
【先行技術文献】
【特許文献】
【０００３】
【特許文献１】特開２０００−０９６３１３号公報
【発明の概要】
【発明が解決しようとする課題】
【０００４】
しかし、特許文献１は、衣服内の気体の流通性については問題としていない。
【０００５】
本発明は、衣服内の気体の流通性を向上させた衣服を提供することを目的とする。
【課題を解決するための手段】
【０００６】
本発明の衣服は、衣服本体と、前記衣服本体の内側に保持され、気体の流通路を形成する通気性のスペーサと、前記スペーサを前記衣服本体に保持するスペーサ保持手段とを備えることを特徴としている。
【０００７】
本発明の衣服では、衣服本体内に保持された通気性のスペーサにより、衣服本体が着用者に密着することを防止できると共に、衣服本体内に気体の流通路が形成される。これにより、衣服内の気体の流通性を向上させることができる。
【０００８】
本発明の衣服において、前記スペーサの外側の少なくとも一部は非通気性部材によって覆われていてもよい。
【０００９】
上記特徴により、スペーサ内に流入した気体がスペーサの外側からスペーサ外に漏れにくくなる。そのため、スペーサの内側、すなわち、着用者側へ流出する気体量を多くすることができ、効果的に着用者を冷却することができる。
【００１０】
本発明の衣服において、前記スペーサの外側は、前記非通気性部材によって覆われた第一領域と、非通気性部材によって覆われていない第二領域とを有していてもよい。
【００１１】
本発明の衣服において、前記第二領域は、通気性部材によって覆われていてもよい。
【００１２】
上記特徴により、第二領域を通ってスペーサ内に気体が流入可能であるため、スペーサ内に取り込まれる気体量を多くすることができる。その結果、効果的に着用者を冷却することができる。
【００１３】
本発明の衣服において、前記第一領域を覆う前記非通気性部材と前記第二領域を覆う前記通気性部材との間には開口部が形成されていてもよい。
【００１４】
上記特徴により、開口部を通ってスペーサ内に気体が流入可能であるため、スペーサ内に取り込まれる気体量を多くすることができる。その結果、効果的に着用者を冷却することができる。
【００１５】
本発明の衣服において、前記スペーサは、前記衣服本体の端部から延出し、前記衣服と共に着用している別の衣服に収容可能な延出部を有していてもよい。
【００１６】
上記特徴により、スペーサ内の気体は延出部を通って本発明の衣服又は別の衣服の一方から他方に流れることができる。これにより、本発明の衣服内又は別の衣服内の一方に取り込まれた気体を他方に送ることができ、その他方の衣服に内包された着用者の体も冷却することができる。
【００１７】
本発明の衣服において、前記延出部の外側の少なくとも一部は非通気性部材によって覆われていてもよい。
【００１８】
上記特徴により、スペーサ内に流入した気体がスペーサの外側からスペーサ外に漏れにくくなる。そのため、スペーサの内側、すなわち、着用者側へ流出する気体量を多くすることができ、効果的に着用者を冷却することができる。また、本発明の衣服又は別の衣服がずれて延出部の外側が外部に露出した場合であっても、気体が延出部の外側から延出部外に漏れることを抑えることができる。
【００１９】
本発明の衣服において、前記スペーサの内側は、通気性部材によって覆われていてもよい。
【００２０】
上記特徴により、スペーサの内側を保護することができる。また、着用者が着用している下着などを保護することができる。
【００２１】
本発明の衣服において、前記衣服本体内に気体を取り込む送風装置をさらに備えていてもよい。
【００２２】
上記特徴により、衣服本体内に効率的に気体を取り込むことができる。
【００２３】
本発明の衣服において、前記送風装置は、ファンと、電源と、前記ファンと前記電源とを電気的に接続するケーブルと、前記ケーブルを前記衣服本体に保持するケーブル保持手段とを備え、前記ケーブル保持手段は前記スペーサ保持手段を兼ねていてもよい。
【００２４】
上記特徴により、スペーサ保持手段の構造を簡素化することができる。
【００２５】
本発明の衣服において、前記衣服本体はループ部を備えており、前記スペーサは前記スペーサ保持手段を前記ループ部に通すことによって保持されていてもよい。
【００２６】
上記特徴により、スペーサ保持手段の構造を簡素化することができる。
【発明の効果】
【００２７】
本発明によれば、衣服内の気体の流通性が向上した衣服を提供することができる。
【図面の簡単な説明】
【００２８】
【図１】本発明の衣服の第一実施形態である上着の概略図であり、（ａ）は上着の前を閉じた状態の概略図、（ｂ）は上着の前を開いた状態の概略図である。
【図２】（ａ）はスペーサの内側を表す概略図、（ｂ）はスペーサの外側を表す概略図、（ｃ）は（ａ）のＩＩｃ−ＩＩｃ線断面図、（ｄ）は（ａ）のＩＩｄ部分拡大斜視図である。
【図３】上着及び別の衣服の着用状態の概略断面図である。
【図４】本発明の衣服の第二実施形態であるズボンの概略図であり、（ａ）はズボンの前側の概略図、（ｂ）はズボンの後側の概略図である。
【図５】スペーサの変形例を表す図であり、（ａ）は概略平面図、（ｂ）は（ａ）のＶｂ部分拡大斜視図である。
【図６】（ａ）及び（ｂ）はスペーサ保持手段の変形例を表す図である。
【発明を実施するための形態】
【００２９】
本発明について図面を参照しながら説明する。以下で説明する実施形態は、いずれも本発明の好ましい一具体例を示すものである。本発明は、以下の実施形態に限定されず、その主旨を逸脱しない範囲で適宜変更可能である。なお、構造を明確化するため、断面図におけるハッチングを省略する場合がある。
【００３０】
＜第一実施形態＞
図１（ａ）及び（ｂ）は本発明の衣服１の第一実施形態の概略図である。第一実施形態の衣服１は上着（上半身用衣服）１Ａである。図１（ａ）及び（ｂ）では、一例としてジャンパタイプの上着１Ａを示している。説明の便宜上、図１（ａ）の上、下、右、左をそれぞれ上着１Ａの上、下、右、左として説明し、他の図面でも特に断らない限り同様の表記を使用する。なお、以下で「内側」とは着用者Ｐに面する側を意味し、「外側」は内側とは反対側のことを意味する。
【００３１】
上着１Ａは、上着本体（衣服本体）２と、通気性のスペーサ３と、スペーサ保持手段４と、送風装置５とを備える。
【００３２】
上着本体２は、前身頃２１、後身頃２２、袖２３及び襟２４を備える。上着本体２は例えば難通気性又は非通気性のポリエステル材料などから作製することができる。後身頃２２の下部（着用者Ｐの腰部に相当する位置）の左側及び右側にはそれぞれ後述するファン５１を取り付けるための開口部（不図示）が形成されている。右側の前身頃２１の内側下部にはポケット２５が形成されている。
【００３３】
送風装置５は、モータなどの駆動手段を備えたファン５１と、電源５２と、ファン５１と電源５２とを電気的に接続するケーブル５３と、ケーブル保持手段５４とを備える。送風装置５は上着本体２内に空気などの気体を取り込むための装置である。ファン５１は、後身頃２２の開口部にそれぞれ一つずつ取り付けられている。電源５２は携帯型電源、好ましくは充電式携帯型電源であり、ポケット２５内に入れられている。ケーブル保持手段５４は、後身頃２２の内側の、ファン５１よりも中央寄りの位置にそれぞれ一つずつ取り付けられている。左側のファン５１用のケーブル５３はケーブル保持手段５４により後身頃２２に保持されている。ケーブル保持手段５４はケーブル５３を着脱可能に保持するよう構成することができる。本実施形態のケーブル保持手段５４は面ファスナを備えたベルトであり、ベルトをケーブル５３に巻き付け、面ファスナを止めることによりケーブル５３を着脱可能に保持することができる。
【００３４】
後身頃２２の内側の略中央には、スペーサ３が着脱可能に保持されている。スペーサ３は、上着本体２内に気体の流通路を形成する。スペーサ３は、上着本体２内に配置された被収容部３１と、後身頃２２の下端部（裾）から延出する延出部３２とを有する。延出部３２は上着１Ａと共に着用している別の衣服Ｃ内に収容可能な長さ（大きさ）を有している。別の衣服Ｃとは、例えばズボンである。なお、延出部３２は必要に応じて形成される。
【００３５】
図２（ａ）から（ｄ）を参照してスペーサ３について説明する。図２（ａ）はスペーサ３の内側の概略図、（ｂ）はスペーサ３の外側の概略図、（ｃ）は（ａ）のＩＩｃ−ＩＩｃ線断面図、（ｄ）は（ａ）のＩＩｄ部分拡大斜視図である。なお、図２（ｄ）では、後述する通気性部材６、７及び非通気性部材８は省略している。
【００３６】
スペーサ３は、少なくとも、空気が流通可能な流通路と、流通路と連通し、着用者Ｐ側に気体を流通させる内側開口部とを備える。本実施形態におけるスペーサ３は、複数の通気性のピース３３を所定間隔あけて縦及び横に複数配列されて成る。各ピース３３は、特に図２（ｄ）に示すように、壁部３３１、壁部３３１と所定間隔Ｌ１あけて設けられた枠体部３３２、及び、壁部３３１と枠体部３３２とを連結する複数の柱状部３３３を備えている。間隔Ｌ１（すなわち、スペーサ３の厚み）は一例として３ｍｍ〜１５ｍｍである。枠体部３３２には開口部３３４が形成されている。複数の柱状部３３３は互いに所定間隔あけて設けられており、複数の柱状部３３３間には開口部３３４と連通する開口部３３５が形成されている。
【００３７】
本実施形態において、ピース３３は外観視で四角錐台形状である。具体的には、壁部３３１は四角形であり、枠体部３３２は壁部３３１よりも大きい四角形であり、四つの柱状部３３３がそれぞれ壁部３３１の角部と枠体部３３１の角部とを接続している。
【００３８】
複数のピース３３は、隣接するピース３３の枠体部３３２同士を連結する連結部３３６によって互いに接続されている。複数のピース３３が連結されたスペーサ３には、複数のピース３３の枠体部３３２及び連結部３３６によって囲まれる開口部３３７が形成されている。また、隣接するピース３３間には隙間３３８が形成されている。開口部３３４、３３５、３３７及び隙間３３８は互いに連通しており、開口部３３４、３３５、３３７及び隙間３３７は空気が流れる流通路を成している。なお、必要に応じて壁部３３１にも開口部を設けるようにしてもよい。
【００３９】
スペーサ３は、壁部３３１が外側となり、枠体部３３２が内側となるよう保持され、開口部３３４、３３７が着用者Ｐに向けて気体を送る内側開口部となる。スペーサ３は、これとは逆に、壁部３３１が内側となり、枠体部３３２が外側となるよう保持されていてもよい。
【００４０】
図２（ａ）及び（ｃ）に示すように、スペーサ３の内側全面、上端部及び下端部は通気性部材６で覆われている。図２（ｂ）及び（ｃ）に示すように、被収容部３１の上部外側及びその上部外側に対応する左右両側部は通気性部材７で覆われている。スペーサ３の外側うち、通気性部材７で覆われた被収容部３１の上部外側よりも下方の部位及びその下方の部位に対応する左右両側部は非通気性部材８で覆われている。このように、スペーサ３の外側は、非通気性部材８で覆われた第一領域９と、通気性部材７で覆われた第二領域１０とから構成され、第二領域１０は第一領域９よりもファン５１の近くに配置される。
【００４１】
本実施形態では、スペーサ３は、通気性部材６、通気性部材７及び非通気性部材８から成る袋部内に収容されている。また、通気性部材７は通気性部材６と一体的に接続されており、通気性部材７は通気性部材６の上部が外側に折り返された部分によって構成されている。袋部は、具体的には、スペーサ３の内側を覆う通気性部材６と通気性部材７（通気性部材６の外側に向けて折り返された部分）との左右両端を縫合し、通気性部材６と非通気性部材８との左右両端及び下端部を縫合することによって形成されている。通気性部材７と非通気性部材８とは左右両端を除いて縫合されておらず、通気性部材７と非通気性部材８との間には開口部１１が形成されている。
【００４２】
通気性部材６、７としては、例えばメッシュシートなどの複数の孔を有した通気性シートを使用することができる。非通気性部材８としては、空気の透過を低減又は遮断する難通気性又は非通気性シート、例えば難通気性又は非通気性のポリエステル製シートを使用することができる。非通気性部材８は、太陽光を遮る材料、例えば非透明の材料から構成されていてもよい。
【００４３】
袋部には装着補助部材が取り付けられている。本実施形態において装着補助部材はストラップ１２である。ストラップ１２の一端は、スペーサ３の上端部よりも下方の位置で通気性部材６と非通気性部材８との間に挟まれ、通気性部材６及び非通気性部材８と共に縫合されている。図１（ｂ）に示すように、ストラップ１２はケーブル保持手段５４にケーブル５３と共に保持されている。このようにして、スペーサ３は上着本体２に着脱可能に保持される。本実施形態では、ストラップ１２及びケーブル保持手段５４が、スペーサ３を上着本体２に保持するためのスペーサ保持手段４として機能している。
【００４４】
図３は上着１及び別の衣服Ｃを着用者Ｐが着用した状態の概略断面図である。図３では空気の流れを矢印で模式的に表している。本実施形態では、スペーサ３の延出部３２は別の衣服Ｃ内に収容されている。送風装置５を起動すると、上着本体２内に気体（外気）が取り込まれる。上着本体２内に取り込まれた気体は、通気性部材６、７及び開口部１１からスペーサ３内に流入する。スペーサ３内に流入した気体の一部は、スペーサ３の内側に存在する開口部３３４、３３７及び通気性部材６を通って着用者Ｐ側に流れ、着用者Ｐを冷却する。スペーサ３内に流入した気体の一部は、延出部３２を通って別の衣服Ｃ内に流入し、別の衣服Ｃに内包された着用者Ｐの体も冷却する。スペーサ３から排出された気体は、上着本体２及び別の衣服Ｃと着用者Ｐとの間の隙間から上着１Ａ外及び別の衣服Ｃ外へ排出される。
【００４５】
以下に、本発明の上着１Ａの作用効果について説明する。
【００４６】
上着１Ａでは、通気性のスペーサ３を備えているため、上着本体２と着用者Ｐとの密着を防止できる共に、上着本体２内に気体の流通路を形成することができる。これにより、気体が上着本体２内を流れやすくなり、効果的に着用者Ｐを冷却することができる。
【００４７】
スペーサ３が別の衣服Ｃ内に収容可能な延出部３２を備えていることにより、上着本体２内に取り込まれた気体は、延出部３２を通って別の衣服Ｃ内に流れることができる。これにより、別の衣服Ｃに包まれた着用者Ｐの体も冷却することができる。
【００４８】
スペーサ３の外側が非通気性部材８で覆われていることにより、スペーサ３内を通過する気体が外側に漏れにくくなり、気体を効果的に着用者Ｐ側へ流すことができる。これにより、着用者Ｐを効果的に冷却することができる。
【００４９】
延出部３２の外側が非通気性部材８で覆われていることにより、着用者Ｐが前屈みになったりしゃがんだりして上着本体２又は別の衣服Ｃがずれて延出部３２が外部に露出したとしても、延出部３２を通過する気体が延出部３２外へ漏れにくくなる。これにより、上着１Ａから別の衣服Ｃへ効果的に気体を流通させることができる。この効果は、非通気性部材８で覆われた面積が多いほど高い効果を発揮する。
【００５０】
スペーサ３が延出部３２を有し且つ後身頃２２に保持されていることにより、屋外での作業中に着用者Ｐが前屈みになったりしゃがんだりして上着本体２がずり上がっても着用者Ｐの腰部が延出部３２で覆われる。これにより、延出部３２によって太陽光が遮られるため、着用者Ｐが感じる暑さを和らげることができる。特に、延出部３２の外側が太陽光を遮る非通気性部材８で覆われていれば、さらに暑さを和らげることができる。
【００５１】
スペーサ３の外側に非通気性部材８で覆われていない第二領域１０を設けることにより、第二領域１０を通ってスペーサ３内に気体が流入可能となるため、スペーサ３内に取り込まれる気体量を多くすることができる。非通気性部材８で覆われていない第二領域１０が非通気性部材８で覆われた第一領域９よりもファン５１の近くに配置されていることにより、スペーサ３内により多くの気体を取り込むことができる。なお、第一領域９と第二領域１０との面積比は適宜決定されるものであるが、第二領域１０の面積を大きくし過ぎると、第二領域１０を通ってスペーサ３外へ流出する気体量が多くなるため、第二領域１０の面積は第一領域９の面積よりも小さいことが好ましく、第二領域１０の面積は第一領域９の面積の１／２以下であることがより好ましく、１／４以下であることがさらに好ましい。
【００５２】
スペーサ３の外側を覆う非通気性部材８と通気性部材７との間に開口部１１を設けることにより、開口部１１を通ってスペーサ３内に気体が流入可能となるため、スペーサ３内に取り込まれる空気量を多くすることができる。
【００５３】
スペーサ３の内側を通気性部材６で覆うことにより、スペーサ３の内側を保護することができる。また、スペーサ３の内側が接する、着用者Ｐが着用している下着などをスペーサ３から保護することができる。
【００５４】
送風装置５を備えていることにより、上着本体２内に効率的に気体を取り込むことができる。
【００５５】
＜第二実施形態＞
衣服１の第二実施形態について説明する。第二実施形態の衣服１は下半身用衣服であり、以下では下半身用衣服としてズボン１Ｂを例に挙げ説明する。説明の便宜上、図４（ａ）及び（ｂ）の上、下、右、左をそれぞれズボン１Ｂの上、下、右、左として説明する。なお、上記第一実施形態と同一の構成要素については同一の符号を付しその説明を省略すると共に、第一実施形態との相違点を中心に説明する。
【００５６】
図４（ａ）はズボン１Ｂの前側の概略図であり、図４（ｂ）はズボン１Ｂの後側の概略図である。ズボン１Ｂは、ズボン本体（衣服本体）１３と、通気性のスペーサ３と、スペーサ保持手段４とを備える。ズボン１Ｂは送風装置５を備えていないが、もちろん送風装置５を備えていてもよい。
【００５７】
ズボン本体１３は、前身頃１３１及び後身頃１３２を備える。前身頃１３１及び後身頃１３２のウエスト部には、ベルトループ１３３が取り付けられている。
【００５８】
スペーサ保持手段４は、スペーサ３の左右両端からそれぞれ延びるストラップ４１と、二つのストラップ４１を接続する係合手段４２とを備える。ストラップ４１は第一実施形態のストラップ１２と同様に、スペーサ３の上端部よりも下方の位置で、通気性部材６及び非通気性部材８と共に縫合されている。係合手段４１は、一方のストラップに装着された係合部と、他方のストラップに装着され、係合部に係合される被係合部とを備えている。係合手段４２としては、例えばバックルを使用することができる。スペーサ３は、後身頃１３２の内側の略中央に配置され、ストラップ４１を後身頃１３２のベルトループ１３３に通し、係合手段４２の係合部と被係合部とを係合することによりズボン本体１３の内側に保持される。
【００５９】
ストラップ４１がスペーサ３の上端部よりも下方に配置されていることにより、スペーサ３はその上部がズボン本体１３のウエスト部から上方に延出した状態で保持される。つまり、図４（ｂ）に示すように、本実施形態では第一実施形態とは異なり、延出部３２の外側は、第二領域１０と第一領域９の上部とから構成されている。
【００６０】
スペーサ３を備えたズボン１Ｂにおいても、通気性のスペーサ３を備えているため、第一実施形態と同様の効果を得ることができる。
【００６１】
＜変形例＞
以下では、本発明の変形例について説明する。以下で説明する各変形例は、適宜組み合わせ可能である。
【００６２】
上着１Ａはジャンパに限定されず、例えばジャケット、シャツ、ベストなどであってもよい。
【００６３】
スペーサ３が取り付けられる位置は後身頃２２、１３２の内側に限定されず、例えば、前身頃２１、１３１の内側や、前身頃２１、１３１と後身頃２２、１３２との境界の内側（すなわち、着用者Ｐの側面に相当する位置）であってもよい。また、一つのスペーサ３を一箇所に取り付ける場合に限定されず、複数のスペーサ３を複数の箇所に取り付けるようにしてもよい。
【００６４】
スペーサ３の内側を覆う通気性部材６とスペーサ３の外側を覆う通気性部材７とは異なる通気性部材が使用されてもよい。被収容部３１を覆う非通気性部材８と延出部３２を覆う非通気性部材８とは異なる非通気性部材が使用されてもよい。
【００６５】
スペーサ３の内側はその全面が通気性部材６で覆われている実施形態に限定されず、一部のみが通気性部材６によって覆われている場合の他、通気性部材６で全く覆われていなくてもよい。
【００６６】
スペーサ３の外側はその全面が非通気性部材８で覆われていてもよい。スペーサ３の外側は通気性部材７及び非通気性部材８で覆われていなくてもよい。スペーサ３の外側はその全面が通気性部材７で覆われていてもよい。
【００６７】
スペーサ３を覆う通気性部材６、７及び非通気性部材８は、スペーサ３に接着剤などによって接着されていてもよい。
【００６８】
スペーサ３を収容する袋部には、スペーサ３を出し入れ可能な開口部が形成されていてもよい。この開口部は、開口部１１とは別に設けられていてもよく、あるいは、開口部１１自体の大きさをスペーサ３を出し入れ可能な大きさに形成してもよい。
【００６９】
スペーサ３は、図５（ａ）及び（ｂ）に示すような、厚みを有したメッシュ部材１４であってもよい。このメッシュ部材１４も、気体が流通する流通路１４１と、流通路１４１と連通する内側開口部１４２とを備えている。
【００７０】
スペーサ保持手段４としては、例えば面ファスナ、スナップボタン、フック、縫合、衣服本体２、１３の内側に形成されたポケットなどを使用することもできる。図６（ａ）及び（ｂ）にスペーサ保持手段４として使用可能なフックの一例を示す。図６（ａ）に示すフック４Ａは、一対の挟持部４３を備え、非通気性部材８にビスなどの固定手段４４によって取り付けられている。一対の挟持部４３の間に衣服１の一部（例えば、衣服本体２、１３など）を挟むことにより、スペーサ３は衣服本体２、１３に保持することができる。図６（ｂ）に示すフック４Ｂは、カラビナなどの開閉可能なリング型のフックである。フック４Ｂは、リング状の本体部４５と開閉可能なゲート部４６とを備えている。本体部４５にはストラップ４７が取り付けられており、ストラップ４７の反対側の端部は非通気性部材８に例えば縫合などによって取り付けられている。スペーサ３は、フック４Ｂをベルトループ１３３に引っ掛けることにより、衣服本体１３に保持することができる。
【００７１】
第一実施形態におけるストラップ１２は第二実施形態と同様にバックルなどの係合手段４２を備えていてもよい。
【００７２】
送風装置５は衣服本体２、１３に取り付けられていなくてもよい。例えば衣服本体２、１３とは別に設置した送風装置（例えば、コンプレッサ又はファン）から、ホースなどによって気体を衣服本体２、１３内に送るようにしてもよい。
【００７３】
衣服１は送風装置５を備えていなくてもよい。送風装置５を備えていなくても、衣服１を着用して屋外で作業をしているときに風が吹いたり、あるいは、衣服１を着用した状態で自転車などに乗れば、衣服本体２、１３と着用者Ｐとの間の隙間から衣服本体２、１３内に気体が取り込まれる。
【００７４】
送風装置５が衣服本体２、１３に取り付けられていない場合又は衣服１が送風装置５を備えていない場合（すなわち、衣服本体２、１３にケーブル保持手段５４が装着されていない場合）、スペーサ３は、例えば面ファスナ、スナップボタン、フック、縫合又は衣服本体２、１３の内側に形成されたポケットなどのスペーサ保持手段４によって衣服本体２、１３に保持することができる。
【００７５】
衣服１が送風装置５を備えていない場合、衣服１は送風装置を備えた別の衣服Ｃと共に使用されることが好ましい。例えば、第二実施形態におけるズボン１Ｂは、送風装置５を備えた上着（すなわち、上着１Ａからスペーサ３を取り外した衣服）と共に使用されることが好ましい。
【符号の説明】
【００７６】
１        衣服
１Ａ      上着
１Ｂ      ズボン
２        上着本体（衣服本体）
３        スペーサ
３２      延出部
４        スペーサ保持手段
５        送風装置
５１      ファン
５２      電源
５３      ケーブル
５４      ケーブル保持手段
６        通気性部材
７        通気性部材
８        非通気性部材
９        第一領域
１０      第二領域
１１      開口部
１３      ズボン本体（衣服本体）
１３３    ベルトループ（ループ部）
Ｃ        別の衣服
【図１】
2019094598.tif 000003
【図２】
2019094598.tif 000004
【図３】
2019094598.tif 000005
【図４】
2019094598.tif 000006
【図５】
2019094598.tif 000007
【図６】
2019094598.tif 000008